(57)【要約】      （修正有）【課題】【課題】使用後でも、廉価なマグネシウム空気電池パックのみの交換で再使用を可能とする携帯型の照明装置を提供する。【解決手段】分割・組立可能な第１ハーフ体７と第２ハーフ体８とからなるケース体内に独立の構成要素であるマグネシウム空気電池パック４とＬＥＤユニット５とを装填すると、相対する出力端子２１，２２と端子パターン３０，３１の接続が行われるとともに弾性体６の弾性力により電池パックとＬＥＤユニットが保持される。【選択図】図３
0003191297.tif 000002
【実用新案登録請求の範囲】
【請求項１】
分割・組立可能な第１ハーフ体と第２ハーフ体とからなり、これら第１ハーフ体と第２ハーフ体を組み合わせて内部に電池装填空間部とＬＥＤユニット装填空間部とを構成するとともに、前記電池装填空間部側の外周壁に導水口を形成しかつ前記ＬＥＤユニット装填空間部の外周壁にＬＥＤ嵌合口を形成してなるケース体と、
透明若しくは半透明の合成樹脂材により形成され、前記ケース体に対してその外周部との間に前記ＬＥＤ嵌合口を囲むＬＥＤ収納空間部を構成して着脱されるキャップ体と、
正極集電体と正極触媒体とセパレータとを積層した正極モジュールと、マグネシウム又はマグネシウム合金からなり前記セパレータを対向部材として前記正極モジュールに積層した負極体とにより構成した所定個数のマグネシウム空気電池を、互いに直列に接続した状態で積層するとともにこの積層体の一側部側から正極端子及び負極端子からなる出力端子を突出させてなるマグネシウム空気電池パックと、
主面上に正極端子パターンと負極端子パターンからなる端子パターンを形成した端子基板と、前記正極端子パターン及び前記負極端子パターンの一端部側にそれぞれリードを接続して前記端子基板に搭載したＬＥＤとを有するＬＥＤユニットと、
前記ケース体の前記第１ハーフ体と前記第２ハーフ体の少なくとも一方ハーフ体の内面に、前記電池装填空間部内に突出するようにして設けられた弾性体とを備え、
前記第１ハーフ体と前記第２ハーフ体とを組み合わせることにより、前記マグネシウム空気電池パックと前記ＬＥＤユニットとが、相対する前記出力端子と前記端子パターンの接続が行われるとともに、前記弾性体により前記ケース体内において保持されることを特徴とする照明装置。
【請求項２】
分割・組立可能な第１ハーフ体と第２ハーフ体とからなり、これら第１ハーフ体と第２ハーフ体を組み合わせて構成する内部空間を端子ガイド開口を形成した隔壁を介して電池装填空間部とＬＥＤユニット装填空間部とに区割りし、前記電池装填空間部の外周壁に導水口を形成するとともに前記ＬＥＤユニット装填空間部側の外周壁にＬＥＤ嵌合口を形成してなるケース体と、
透明若しくは半透明の合成樹脂材により形成され、前記ケース体に対してその外周部との間に前記ＬＥＤ嵌合口を囲むＬＥＤ収納空間部を構成して着脱されるキャップ体と、
正極集電体と正極触媒体とセパレータとを積層した正極モジュールと、マグネシウム又はマグネシウム合金からなり前記セパレータを対向部材として前記正極モジュールに積層した負極体とにより構成した所定個数のマグネシウム空気電池を、互いに直列に接続した状態で積層するとともにこの積層体の一側部側から正極端子及び負極端子からなる出力端子を突出させてなるマグネシウム空気電池パックと、
主面上に正極端子パターンと負極端子パターンからなる端子パターンを形成した端子基板と、前記正極端子パターン及び前記負極端子パターンの一端部側にそれぞれリードを接続して前記端子基板に搭載したＬＥＤとを有するＬＥＤユニットと、
前記ケース体の前記第１ハーフ体と前記第２ハーフ体の少なくとも一方ハーフ体の内面に設けられ、前記第１ハーフ体と前記第２ハーフ体とを組み合わせた状態で前記電池装填空間部内に装填した前記マグネシウム空気電池パックを押圧する弾性体とを備え、
前記ケース体に対して、
前記ＬＥＤユニットが、前記第１ハーフ体又は前記第２ハーフ体のいずれか一方ケース体の内部に前記ＬＥＤを前記ＬＥＤ嵌合口から外方へと露出させるとともに前記正極端子パターンと前記負極端子パターンの他端側を前記端子ガイド開口に臨ませるようにして、前記ＬＥＤユニット装填空間部内に装填され、
前記マグネシウム空気電池パックが、前記出力端子を前記端子ガイド開口から前記ＬＥＤユニット装填空間部側へと突出させて前記ＬＥＤユニットの相対する前記端子パターン上に重ね合わせるようにして、前記電池装填空間部内に装填され、
前記弾性体が、前記第１ハーフ体と前記第２ハーフ体とを組み合わせると、前記マグネシウム空気電池パックを押圧することにより前記電池装填空間部内に保持するとともに前記出力端子と前記端子パターンの接続状態を保持する
ことを特徴とする照明装置。
【請求項３】
分割・組立可能な第１ハーフ体と第２ハーフ体とからなり、これら第１ハーフ体と第２ハーフ体を組み合わせて内部に電池装填空間部を構成し、この電池装填空間部の外周壁に導水口を形成するとともに少なくともいずれか一方ハーフ体の内面に台座状のＬＥＤユニット支持部を形成しかつこのＬＥＤユニット支持部の外周壁にＬＥＤ嵌合口を形成してなるケース体と、
透明若しくは半透明の合成樹脂材により形成され、前記ケース体に対してその外周部との間に前記ＬＥＤ嵌合口を囲むＬＥＤ収納空間部を構成して着脱されるキャップ体と、
正極集電体と正極触媒体とセパレータとを積層した正極モジュールと、マグネシウム又はマグネシウム合金からなり前記セパレータを対向部材として前記正極モジュールに積層した負極体とにより構成した所定個数のマグネシウム空気電池を、互いに直列に接続した状態で積層するとともにこの積層体の一側部側から正極端子及び負極端子からなる出力端子を突出させてなるマグネシウム空気電池パックと、
主面上に正極端子パターンと負極端子パターンからなる端子パターンを形成した端子基板と、前記正極端子パターン及び前記負極端子パターンの一端部側にそれぞれリードを接続して前記端子基板に搭載したＬＥＤと、前記正極端子パターン及び前記負極端子パターンの他端部側と接続されて前記端子基板にそれぞれ実装された正極クリップ端子及び負極クリップ端子とからなるクリップ端子を有するＬＥＤユニットと、
前記ケース体の前記第１ハーフ体と前記第２ハーフ体の少なくとも一方ハーフ体の内面に、前記電池装填空間部内に突出するようにして設けられた弾性体とを備え、
前記ケース体に対して、
前記ＬＥＤユニットが、前記第１ハーフ体又は前記第２ハーフ体のいずれか一方ケース体の内部に前記ＬＥＤユニット支持部上に前記ＬＥＤを前記ＬＥＤ嵌合口から外方へと露出させて組み付けられ、
前記マグネシウム空気電池パックが、前記出力端子を前記ＬＥＤユニットの相対する前記クリップ端子に嵌合するようにして、前記電池装填空間部内に装填され、
前記弾性体が、前記第１ハーフ体と前記第２ハーフ体とを組み合わせると、前記ケース体内において前記マグネシウム空気電池パックを押圧することにより前記電池装填空間部内に保持する
ことを特徴とする照明装置。
【考案の詳細な説明】
【考案の詳細な説明】
【技術分野】
【０００１】  本考案は、マグネシウム空気電池を電源とするとともにＬＥＤを光源とする携帯型の照明装置に関する。
【背景技術】
【０００２】  マグネシウム空気電池は、電池素材として埋蔵量が多く、安全性が高い等の特性を有するマグネシウムやマグネシウム合金を用いることで、リチウム電池に代わる次世代電池として注目を浴びている。マグネシウム空気電池は、一般に、導電性金属板からなる正極集電体と正極触媒体とセパレータとを積層してなる正極モジュールと、マグネシウム又はマグネシウム合金からなる負極体とを一体に積層してなる。マグネシウム空気電池は、出力電圧の仕様に応じて複数個を接続してケース内に収納される。マグネシウム空気電池については、例えば特許文献１にその基本的な構成が開示されている。【０００３】  マグネシウム空気電池は、正極集電体が、例えば銅板や耐錆特性の大きいステンレス板等の導電性金属板を素材とし、主面上に接合した正極触媒体に対して電子を供給する。マグネシウム空気電池は、正極触媒体が、例えば不織布等を基材とし、この不織布に正極活物質として空気中の酸素を効率よく吸着する多孔質特性の活性炭、カーボンブラック等を塗布等により含浸してなる。なお、正極触媒体には、正極活物質として、活性炭等とともに反応制御剤として多価カルボン酸塩や金属酸化物等も添加される。【０００４】  マグネシウム空気電池は、セパレータが、ポリプロピレン繊維等の合成樹脂繊維や濾紙等を素材とし、正極触媒体を挟んで正極集電体と対向して積層される。セパレータは、正極と負極間においてイオンの通過を許容するとともに電気的に非導通状態とする。また、セパレータは、水系電解質を保持する保水特性を有している。【０００５】  上述したマグネシウム空気電池は、従来のマンガン乾電池等と同様に携帯型の照明装置の電源としても使用されている。マグネシウム空気電池を用いた携帯型の照明装置については、例えば特許文献２に開示されている。照明装置は、蓋部材を取り外して内部に水を供給することにより内蔵のマグネシウム空気電池を励起して光源であるＬＥＤを点灯させるようにする。
【先行技術文献】
【０００６】
【特許文献１】  特許第５１９２６１３号公報
【０００７】
【特許文献２】  実用新案登録第３１７７５８９号公報
【考案の概要】
【考案が解決しようとする課題】
【０００８】  例えば乾電池を使用する携帯型の照明装置は、筐体に対して乾電池を着脱自在とし、放電した乾電池を交換するようにしている。使用済み乾電池は、環境汚染の問題を引き起こすとともに、処理コストも増大するといった問題があった。マグネシウム空気電池を電源とする携帯型の照明装置は、マグネシウム空気電池が乾電池よりも廉価であるとともに発電効率も大きく、さらに用済み後のマグネシウム空気電池の廃棄処分についての費用負担も少なくといった特徴がある。【０００９】  上述したマグネシウム空気電池を電源とする先願の携帯型照明装置は、ケース内に水を注入する使用態様について特徴的ではあるが、廉価なマグネシウム空気電池を用いるにもかかわらず水密構造のケース、スイッチ等の構造が複雑となり、高価であるといった問題がある。また、先願携帯型照明装置は、使用後にケース内から水を排出しなければならず使い勝手も悪いといった問題がある。【００１０】  したがって、本考案は、マグネシウム空気電池を電源とするとともにＬＥＤを光源とする携帯照明装置であり、使用後においてもケース体やＬＥＤユニットをそのまま共用し、廉価なマグネシウム空気電池のみの交換で再使用を可能とする携帯型の照明装置を提供することを目的とする。
【課題を解決するための手段】
【００１１】  上述した目的を達成する本考案にかかる照明装置は、分割・組立可能な第１ハーフ体と第２ハーフ体とからなるケース体と、このケース体に着脱されるキャップ体と、複数個のマグネシウム空気電池を積層したマグネシウム空気電池パックと、端子基板とＬＥＤとを有するＬＥＤユニットと、ケース体の第１ハーフ体と第２ハーフ体の少なくともいずれか一方ハーフ体の内面に設けられた弾性体とを備える。【００１２】  照明装置は、ケース体が、第１ハーフ体と第２ハーフ体を組み合わせて内部を区割りした電池装填空間部とＬＥＤユニット装填空間部とを構成するとともに、電池装填空間部側の外周壁に導水口を形成しかつＬＥＤユニット装填空間部の外周壁にＬＥＤ嵌合口を形成してなる。照明装置は、キャップ体が、透明若しくは半透明の合成樹脂材により形成され、ケース体に対してその外周部との間にＬＥＤ嵌合口を囲むＬＥＤ収納空間部を構成して着脱される。【００１３】  照明装置は、マグネシウム空気電池パックを構成するマグネシウム空気電池が、正極集電体と正極触媒体とセパレータとを積層した正極モジュールと、マグネシウム又はマグネシウム合金からなり、セパレータを対向部材として正極モジュールに積層した負極体とにより構成される。マグネシウム空気電池パックは、所定個数のマグネシウム空気電池が、互いに直列に接続した状態で積層されるとともに、この積層体の一側部側から正極端子及び負極端子からなる出力端子を突出させてなる。【００１４】  照明装置は、ＬＥＤユニットが、主面上に正極端子パターンと負極端子パターンからなる端子パターンを形成した端子基板と、正極端子パターン及び負極端子パターンの一端部側にそれぞれリードを接続して端子基板に搭載したＬＥＤとを有する。照明装置は、弾性体が、第１ハーフ体と第２ハーフ体とを組み合わせた状態で、電池装填空間部内に突出して装填されたマグネシウム空気電池パックを押圧する。【００１５】  照明装置は、ケース体に対してＬＥＤユニットが、ＬＥＤをＬＥＤ嵌合口から外方へと露出させるとともに正極端子パターンと負極端子パターンの他端側を端子ガイド開口に臨ませるようにして、ＬＥＤユニット装填空間部内に装填される。照明装置は、マグネシウム空気電池パックが、出力端子を端子ガイド開口からＬＥＤユニット装填空間部側へと突出させてＬＥＤユニットの相対する端子パターン上に重ね合わせるようにして、電池装填空間部内に装填される。照明装置は、第１ハーフ体と第２ハーフ体とを組み合わせることにより、マグネシウム空気電池パックとＬＥＤユニットとが、相対する出力端子と端子パターンの接続が行われるとともに、弾性体によりケース体内において保持される。【００１６】  また、本考案にかかる照明装置は、ケース体が、第１ハーフ体と第２ハーフ体を組み合わせて構成する内部空間を端子ガイド開口を形成した隔壁を介して電池装填空間部とＬＥＤユニット装填空間部とに区割りしてなる。照明装置は、ＬＥＤユニットが、第１ハーフ体又は第２ハーフ体のいずれか一方ケース体の内部にＬＥＤをＬＥＤ嵌合口から外方へと露出させるとともに正極端子パターンと負極端子パターンの他端側を端子ガイド開口に臨ませるようにして、ＬＥＤユニット装填空間部内に装填される。照明装置は、弾性体が、第１ハーフ体と第２ハーフ体とを組み合わせると、マグネシウム空気電池パックを押圧して電池装填空間部内に保持するとともに出力端子と端子パターンの接続状態を保持する。【００１７】  さらに、本考案にかかる照明装置は、ケース体が、少なくともいずれか一方ハーフ体の内面に台座状のＬＥＤユニット支持部を形成しかつこのＬＥＤユニット支持部の外周壁にＬＥＤ嵌合口を形成してなる。照明装置は、ＬＥＤユニットが、主面上に正極端子パターンと負極端子パターンからなる端子パターンを形成した端子基板と、正極端子パターンと負極端子パターンのＬＥＤを接続した一端部と対向する他端部側に接続した正極クリップ端子及び負極クリップ端子とからなるクリップ端子を有する。照明装置は、ＬＥＤユニットがＬＥＤユニット支持部上に組み付けられるとともに、マグネシウム空気電池パックが電池装填空間部内に装填されて出力端子を相対するクリップ端子に嵌合される。
【考案の効果】
【００１８】  本考案にかかる照明装置によれば、分割・組立可能な第１ハーフ体と第２ハーフ体とからなるケース体内に独立の構成要素であるマグネシウム空気電池パックとＬＥＤユニットとを装填すると、相対する出力端子と端子パターンの接続が行われるとともに弾性体の弾性力により保持されるように構成したことから、使用後においても比較的廉価なマグネシウム空気電池パックのみを交換する対応により他の構成要素をそのまま再使用することが可能となる。また、照明装置によれば、積層型のマグネシウム空気電池パックが弾性体により電池装填空間部内において保持されることから、内部抵抗の低減が図られ効率的な照明が行われるようになる。さらに、照明装置によれば、ケース体内からのマグネシウム空気電池パックの着脱が可能であることから、スイッチ手段を設けることなく一時消灯の操作も可能である。
【図面の簡単な説明】
【００１９】
【図１】  本考案の実施の形態として示す、携帯型ＬＥＤ照明装置の斜視図である。
【図２】  同照明装置について、キャップ体を取り外した状態の斜視図である。
【図３】  同照明装置の分解斜視図である。
【図４】  同照明装置の断面図である。
【図５】  同照明装置に用いるマグネシウム空気電池パックの要部断面図である。
【図６】  同マグネシウム空気電池パックの要部斜視図である。
【図７】  第２の実施の形態として示す照明装置の要部断面図である。
【図８】  同照明装置の要部斜視図である。
【考案を実施するための形態】
【００２０】  以下、本考案の実施の形態として図面に示した照明装置１について詳細に説明する。照明装置１は、図１乃至図４に示すように、ケース体２と、キャップ体３と、マグネシウム空気電池パック４と、ＬＥＤユニット５と、弾性体６とを備える。照明装置１は、例えば水に浸けて取り出すことにより、マグネシウム空気電池パック内において正極体と負極体間におけるイオン交換が行われ、ＬＥＤユニット５への電圧供給が行われて照明光の出射が行われるようにする。照明装置１は、使用済み後にはマグネシウム空気電池パック４のみがケース体２から取り出されて廃棄されるが、その他の構成部位をそのまま再利用することが可能である。
【００２１】  照明装置１は、ケース体２が、分割・組立可能な第１ハーフ体７と第２ハーフ体８とにより構成され、その一方側に発光部位を構成するキャップ体３が着脱される。ケース体２は、第１ハーフ体７と第２ハーフ体８とが、それぞれポリプロピレンやポリスチレン等の適宜の合成樹脂材により一方側を直線状にかつ他方側を円弧状とした全体を略薄箱状に形成してなる。ケース体２は、第１ハーフ体７と第２ハーフ体８とを、相対する立ち上がり外周壁を全周に亘って突き合わせるようにして組み合わせ、全体で内部空間９を構成した箱体を呈する。
【００２２】  ケース体２は、図示しないが第１ハーフ体７と第２ハーフ体８の外周壁に相対して複数組の係合凸部と係合凹部を形成し、これらを係合するように位置合わせしながら組み合わせることで組み合わせ状態がしっかりと保持されるようにする。なお、ケース体２は、上述したように薄箱状の第１ハーフ体７と第２ハーフ体８とを組み合わせる構造に限定されないことは勿論である。ケース体２は、例えば第１ハーフ体７を箱状に形成するとともに第２ハーフ体８を第１ハーフ体７の開口部を閉塞して組み合わされる蓋体とした構造であってもよい。また、ケース体２は、一方を直線状かつ他方側を円弧状とした薄箱形状に限定されないことも勿論である。
【００２３】  ケース体２は、第１ハーフ体７と第２ハーフ体８とで構成した内部空間９について、直線状部位側を電池装填空間部１０とするとともに円弧状部位側をＬＥＤユニット装填空間部１１として区割りしてなる。すなわち、ケース体２は、図３及び図４に示すように、第１ハーフ体７の内面に相対する外周壁間を連結する隔壁１２を形成し、この隔壁１２を介して区割りした一方側の内部空間を電池装填空間部１０とするとともに他方側の内部空間をＬＥＤユニット装填空間部１１として構成する。
【００２４】  ケース体２には、電池装填空間部１０に開口する導水口１３が形成される。導水口１３は、第１ハーフ体７と第２ハーフ体８の外周壁に相対して形成された切り欠き溝により構成され、例えば照明装置１を水に浸けることにより電池装填空間部１０内に水を導入してマグネシウム空気電池パック４が励起されるようにする。ケース体２は、電池装填空間部１０が、照明装置２を水に浸けて導水口１３から水を浸入させることにより一種の電解槽として機能する。なお、導水口１３については、かかる構成に限定されず、第１ハーフ体７又は第２ハーフ体８のいずれか一方側に形成するようにしてもよい。
【００２５】  ケース体２には、ＬＥＤユニット装填空間部１１に開口するＬＥＤ嵌合口１４が形成される。ＬＥＤ嵌合口１４も、第１ハーフ体７と第２ハーフ体８の外周壁に相対して形成された切り欠き溝により構成され、後述するようにＬＥＤユニット装填空間部１１に装填したＬＥＤユニット５に搭載したＬＥＤ２９を外方へと露出させるようにする。照明装置１は、ケース体２に形成したＬＥＤ嵌合口１４を介してＬＥＤ２９を外方へと露出させることにより、ＬＥＤ２９からの発生熱が内部に籠ることを低減する。
【００２６】  なお、ＬＥＤ嵌合口１４については、上述した構成に限定されず、第１ハーフ体７又は第２ハーフ体８のいずれか一方側に形成するようにしてもよい。また、ＬＥＤ嵌合口１４は、第１ハーフ体７と第２ハーフ体８に相対してそれぞれ半筒状の部位を形成し、組み合わせ状態でＬＥＤ２９の外周部を支える全体筒状の部位により構成してもよい。
【００２７】  ケース体２は、図３及び図４に示すように、第１ハーフ体７のＬＥＤユニット装填空間部１１を構成する底面部の厚をやや大きくした台座状の部位とし、この台座状部位によりＬＥＤユニット支持部１５を構成する。ＬＥＤユニット支持部１５は、後述するようにＬＥＤユニット５をＬＥＤユニット装填空間部１１に装填した状態において、その端子基板２８を、電池装填空間部１０内に装填したマグネシウム空気電池パック４の底面からその厚み分高い位置において支持する。
【００２８】  ＬＥＤユニット支持部１５には、例えば２本の位置決めピン１５ａ、１５ｂが一体に突設されている。位置決めピン１５ａ、１５ｂは、後述するようにＬＥＤユニット装填空間部１１内にＬＥＤユニット５を装填すると、端子基板２８に形成した位置決め孔３２ａ、３２ｂと相対係合することにより、このＬＥＤユニット５を位置決めする。
【００２９】  ケース体２は、図３及び図４に示すように、第１ハーフ体７の隔壁１２に、幅方向に離間して一対の高さ方向の溝からなる端子ガイド開口１６（１６ａ、１６ｂ）を形成する。されている。端子ガイド開口１６は、ＬＥＤユニット支持部１５を電池装填空間部１０に臨ませるようにして隔壁１２に形成される。端子ガイド開口１６は、後述するように電池装填空間部１０に装填したマグネシウム空気電池パック４の出力端子である正極端子２１及び負極端子２２をＬＥＤユニット装填空間部１１内へと突出させる。
【００３０】  ケース体２は、図３及び図４に示すように、第１ハーフ体７の電池装填空間部１０を構成する底面に電池支持凸部１７（１７ａ、１７ｂ）を一体に形成する。電池支持凸部１７は、第１ハーフ体７の底面に一体に形成した幅方向のリブ状凸部であり、電池装填空間部１０に装填したマグネシウム空気電池パック４を安定した姿勢で支持する。なお、電池支持凸部１７は、電池装填空間部１０内において導水口１３から流れ込んだ水がマグネシウム空気電池パック４の周囲によく流れ込むようにも作用する。
【００３１】  ケース体２は、図３及び図４に示すように、第２ハーフ体８の電池装填空間部１０を構成する内面に弾性体６を一体に形成する。弾性体６は、第２ハーフ体８の内面に、ＬＥＤユニット装填空間部１１との区切り部位を起点にして導水口１３側に向かって延長された片持ち梁状の部位からなる。弾性体６は、第１ハーフ体７の電池支持凸部１７間に対向位置し、先端に向かうに従って次第に第１ハーフ体７側へと傾斜するようにして第２ハーフ体８に形成される。
【００３２】  弾性体６は、後述するようにマグネシウム空気電池パック４を電池装填空間部１０内に装填して第１ハーフ体７と第２ハーフ体８を組み合わせると弾性変位して弾性力を蓄勢しマグネシウム空気電池パック４を保持する。なお、弾性体６は、上述した構成に限定されず、例えば幅方向に離間して一体に形成した２個以上の片持ち梁状部位により構成してもよい。また、弾性体６は、第２ハーフ体８の内面から一体に突出した部位に限定されず、例えば金属弾性板や合成樹脂弾性板等の別部材であってもよい。第２ハーフ体８は、この場合、内面に弾性体を位置決め保持する部位を形成してもよい。
【００３３】  第２ハーフ体８は、ＬＥＤユニット装填空間部１１を構成する内面に、幅方向に離間して基板押さえリブ１８（１８ａ、１８ｂ）を一体に形成する。基板押さえリブ１８は、第１ハーフ体７側の端子ガイド開口１６に対応位置して形成され、後述するように端子ガイド開口１６を介してＬＥＤユニット装填空間部１１内へと突出する後述するマグネシウム空気電池パック４の正極端子２１と負極端子２２をＬＥＤユニット支持部１５上のＬＥＤユニット５の端子基板２８上に押し付ける。
【００３４】  キャップ体３は、例えばポリカーボネート等の透明若しくは着色半透明な合成樹脂材により略カップ状に形成され、図１及び図２に示すようにケース体２に対してＬＥＤユニット装填空間部１１側の外周部、上述したＬＥＤ嵌合口１４を覆うようにして着脱される。キャップ体３は、図４に示すようにケース体２の外周部との間にＬＥＤ収納空間部１９を構成し、ＬＥＤ嵌合口１４から突出するＬＥＤ２９の周囲を覆う。
【００３５】  キャップ体３は、ＬＥＤ２９の周囲を覆うことにより、このＬＥＤ２９を機械的に保護する。キャップ体３は、ＬＥＤ２９から出射される照明光を外部へと拡散してより広範囲な照明が行われるようにする。キャップ体３は、照明光をより効率的に四方へと拡散させるために、例えば乳白色の合成樹脂材により形成したり、内面を粗面に形成するようにしてもよい。なお、ケース体２とキャップ体３は、相対する外周面と開口縁に沿った内面に例えば複数個のクリック凹部とクリック凸部とを形成し、これらが相対係合することにより組み合わせ状態が保持されるようにする。
【００３６】  照明装置１は、ＬＥＤ２９を起動させるために、１個当たりそれぞれ１．５Ｖの出力電圧を有する３個のマグネシウム空気電池２０（２０ａ〜２０ｃ）の積層体からなるマグネシウム空気電池パック４を備える。マグネシウム空気電池パック４は、マグネシウム空気電池２０の積層体と、正極端子２１及び負極端子２２とから構成される。なお、マグネシウム空気電池パック４は、例えばＬＥＤユニット５が昇圧回路を搭載してＬＥＤ２９に対して所定の駆動電圧を供給する場合には、１個のマグネシウム空気空気電池２０により構成してもよい。
【００３７】  マグネシウム空気電池２０は、図５及び図６に示すように、正極モジュール２３と負極体２４の積層体により構成する。マグネシウム空気電池２０は、正極モジュール２３を、正極集電体２５と正極触媒体２６とセパレータ２７との積層体により構成する。正極モジュール２３は、正極集電体２５を、導電率や耐錆特性が大きく、正極モジュール２３の基材として機能するように剛性を有する導電材料板により形成する。正極集電体２５は、電池動作時において主面に接合した正極触媒体２６に対して電子を供給する。
【００３８】  正極モジュール２３は、正極触媒体２６を、例えば不織布等を基材とし、この基材に水と反応する正極物質を塗布或いは浸漬等により担持させた部材により構成する。正極触媒体２６は、正極物質として、例えば空気中の酸素を効率よく吸着する多孔質特性の活性炭やカーボンブラック等を基材として銅粉等の金属粉或いは金属酸化物等を添加した物質を用いる。正極触媒体２６は、正極物質として、反応制御剤として作用するクエン酸やコハク酸等の水溶性多価カルボン酸塩等の物質を添加してもよい。正極触媒体２６は、正極物質に接着樹脂を添加して基材に塗布して形成する。
【００３９】  正極モジュール２３は、セパレータ２７を、ポリプロピレン繊維等の合成樹脂材や濾紙等の絶縁材を素材としたシート状の部材により構成する。セパレータ２７は、正極と負極間においてイオンの通過を許容するとともに電気的に非導通状態とする。セパレータ２７は、照明装置１が水に漬けられた際に内部空間９に浸入した水を十分に保持する保水特性も奏する。
【００４０】  正極モジュール２３は、重ね合わせる正極集電体２５と正極触媒体２６及びセパレータ２７との間にそれぞれ接着剤を供給し、積層体に圧力を掛けるプレス処理を施すことにより接着剤が各部材間に浸潤してこれらを一体化する。正極モジュール２３は、接着剤を供給してプレス処理を施すことにより構成部材間の空気層を抑制して一体化することで、内部抵抗が軽減されて効率的な発電が行われ。
【００４１】  マグネシウム電池２０は、上述した正極モジュール２３に対して、セパレータ２７上に負極体２４が積層される。負極体２４は、比較的廉価であるとともにイオン生成時に高電圧を出力しかつ活性が高くかつ容量も大きい特性を有するマグネシウムやマグネシウム合金が用いられ、所定の厚みを有するとともに正極モジュール２３とほぼ同等の長さと幅を有する板状に形成される。負極体２４は、マグネシウム空気電池２０を水に浸した状態においてマグネシウムイオンを生成する。
【００４２】  マグネシウム空気電池パック４は、上述したように３個のマグネシウム空気電池２０ａ〜２０ｃを互いに直列に接続したて積層してなる。マグネシウム空気電池パック４は、図５及び図６に示すように、第１のマグネシウム空気電池２０ａの負極体２４ａに対して第２のマグネシウム空気電池２０ｂの正極集電体２５ｂを重ね合わせる。マグネシウム空気電池パック４は、第２のマグネシウム空気電池２０ｂの負極体２４ｂに対して第３のマグネシウム空気電池２０ｃの正極集電体２５ｃを重ね合わせる。
【００４３】  マグネシウム空気電池パック４は、詳細を省略する適宜の層間接続構造を以って３個のマグネシウム空気電池２０ａ〜２０ｃの正極モジュール２３ａ〜２３ｃ間が直列に接続される。マグネシウム空気電池パック４は、同様にして適宜の層間接続構造を以って３個のマグネシウム空気電池２０ａ〜２０ｃの負極体２４ａ〜２４ｃ間が直列に接続される。マグネシウム空気電池パック４は、図５及び図６に示すように、最外側面となる第１のマグネシウム空気電池２０ａの正極集電体２５ａに一端側を固定した正極端子２１の他端側を側方へと引き出す。また、マグネシウム空気電池パック４は、最外側面となる第３のマグネシウム空気電池２０ｃの負極体２４ｃに一端側を固定した負極端子２２の他端側を側方へと引き出す。
【００４４】  正極端子２１は、例えば銅板を素材として一端側を正極集電体２５ａとの接続部とし、この接続部からマグネシウム空気電池パック４の側面に沿って厚み方向の中央部まで直角に折曲し、この直角部位の先端をさらに直角に折曲し端子部２１ａを構成した略クランク状の部材からなる。負極端子２２も、例えば銅板を素材として一端側を負極体２４ｃとの接続部とし、この接続部からマグネシウム空気電池パック４の側面に沿って厚み方向の中央部まで直角に折曲し、この直角部位の先端をさらに直角に折曲し端子部２２ａを構成した略クランク状の部材からなる。
【００４５】  正極端子２１と負極端子２２は、図５及び図６に示すように、マグネシウム空気電池パック４の側方から飛び出たそれぞれの端子部２１ａ、２２ａが厚み方向の略中央面上であり中心からの対称位置において対向する。すなわち、正極端子２１と負極端子２２は、端子部２１ａ、２２ａがマグネシウム空気電池パック４の側方から飛び出た位置において略同一面を構成して設けられる。正極端子２１と負極端子２２は、マグネシウム空気電池パック４を電池装填空間部１０に装填すると、それぞれの端子部２１ａ、２２ａが相対するケース体２の端子ガイド開口１６ａ、１６ｂを介してＬＥＤユニット装填空間部１１内へと突出する。
【００４６】  正極端子２１と負極端子２２は、ＬＥＤユニット装填空間部１１内に突出したそれぞれの端子部２１ａ、２２ａがＬＥＤユニット５の端子基板２８に形成した相対する正極端子パターン３０及び負極端子パターン３１とそれぞれ接触する。正極端子２１と負極端子２２は、第２ハーフ体８の相対する基板押さえリブ１８ａ、１８ｂによってＬＥＤユニット支持部１５上のＬＥＤユニット５の端子基板２８上に押し付けられ、正極端子パターン３０及び負極端子パターン３１との接続状態を保持される。
【００４７】  照明装置１は、ケース体２のＬＥＤユニット装填空間部１１内にＬＥＤユニット５を装填する。ＬＥＤユニット５は、端子基板２８と、この端子基板２８に搭載したＬＥＤ２９とから構成する。ＬＥＤユニット５は、端子基板２８が、ＬＥＤユニット装填空間部１１とほぼ同形、すなわち図３に示すようにほぼ半円形に形成され、その頂点部側にＬＥＤ２９を搭載する。
【００４８】  端子基板２８には、主面上に、左右対称形状の正極パターン３０と負極パターン３１とが形成される。端子基板２８には、ＬＥＤユニット支持部１５側の位置決めピン１５ａ、１５ｂとそれぞれ相対する位置決め孔３２ａ、３２ｂが形成される。
【００４９】  正極パターン３０は、図３に示すように端子基板２８の底辺側に位置して形成された正極ランド３０ａと、この正極ランド３０ａから端子基板２８の頂点部側まで引き回されて形成されたリード接続ランド３０ｂとを有する。正極パターン３０は、ＬＥＤユニット５をＬＥＤユニット装填空間部１１内に装填した状態において、正極ランド３０ａが隔壁１２に形成した一方の端子ガイド開口１６ａと対向位置するとともに、リード接続ランド３０ｂがＬＥＤ嵌合口１４と対向位置する。正極ランド３０ａには、電池装填空間部１０に装填されたマグネシウム空気電池パック４の端子ガイド開口１６ａを介してＬＥＤユニット装填空間部１１内へと突出した正極端子２１が重ね合わされる。
【００５０】  負極パターン３１も、図３に示すように端子基板２８の底辺側に位置して形成された負極ランド３１ａと、この負極ランド３１ａから端子基板２８の頂点部側まで引き回されて形成されたリード接続ランド３１ｂとを有する。負極パターン３１は、ＬＥＤユニット５をＬＥＤユニット装填空間部１１内に装填した状態において、負極ランド３１ａが他方の端子ガイド開口１６ｂと対向位置するとともに、リード接続ランド３１ｂがＬＥＤ嵌合口１４と対向位置する。負極ランド３１ａには、電池装填空間部１０に装填されたマグネシウム空気電池パック４の端子ガイド開口１６ｂを介してＬＥＤユニット装填空間部１１内へと突出した負極端子２２が重ね合わされる。
【００５１】  ＬＥＤユニット５は、図３及び図４に示すように端子基板２８に対してＬＥＤ２９が搭載される。ＬＥＤ２９は、正極リード２９ａを正極パターン３０のリード接続ランド３０ｂに半田付けするとともに、負極リード２９ｂを負極パターン３１のリード接続ランド３１ｂに半田付けする。ＬＥＤユニット５は、端子基板２８に対してその円形頭部から突出させた状態でＬＥＤ２９を搭載する。
【００５２】  ＬＥＤユニット５は、上述したようにＬＥＤユニット支持部１５上に載置するようにしてケース体２のＬＥＤユニット装填空間部１１内に装填される。ＬＥＤユニット５は、ＬＥＤユニット支持部１５の位置決めピン１５ａ、１５ｂが端子基板２８の位置決め孔３２ａ、３２ｂと相対係合することにより、ＬＥＤユニット支持部１５上に位置きめ状態で載置される。ＬＥＤユニット５は、端子基板２８に搭載されたＬＥＤ２９が、ＬＥＤ嵌合口１４からケース体２の外方に突出するとともに、ケース体２にキャップ体３を装着することにより構成されるＬＥＤ収納空間部１９内に収容される。
【００５３】  ＬＥＤユニット５は、ＬＥＤユニット装填空間部１１内に装填されることにより、端子基板２８の正極パターン３０に形成した正極ランド３０ａが一方の端子ガイド開口１６ａと対向位置するとともに、負極パターン３１に形成した負極ランド３１ａが他方の端子ガイド開口１６ｂと対向位置する。ＬＥＤユニット５は、マグネシウム空気電池パック４が電池装填空間部１０に装填されると、正極パターン３０と正極端子２１との接続が行われるとともに、負極パターン３１と負極端子２２との接続が行われる。
【００５４】  上述した構成部材を備える照明装置１は、以下の組立手順により組立が行われる。照明装置１は、第１ハーフ体７に対して、ＬＥＤユニット５とマグネシウム空気電池パック４の順序で装填する。照明装置１は、ＬＥＤユニット５が、位置決めピン１５ａ、１５ｂと位置決め孔３２ａ、３２ｂとの係合によりＬＥＤユニット装填空間部１１内でＬＥＤユニット支持部１５上に位置決めされる。照明装置１は、ＬＥＤユニット５が、正極パターン３０の正極ランド３０ａを端子ガイド開口１６ａと対同位置させるとともに負極パターン３１の負極ランド３１ａを端子ガイド開口１６ｂと対向位置させる。照明装置１は、ＬＥＤユニット５のＬＥＤ２９をＬＥＤ嵌合口１４からケース体２の外方へと突出させる。
【００５５】  照明装置１は、マグネシウム空気電池パック４を電池装填空間部１０内に装填すると、正極端子２１が端子ガイド開口１６ａを貫通するとともに負極端子２２が端子ガイド開口１６ｂを貫通してＬＥＤユニット装填空間部１１内へと突出する。照明装置１は、マグネシウム空気電池パック４の正極端子２１が端子基板２８の正極ランド３０ａ上に重なり合うとともに、負極端子２２が負極ランド３１ａ上に重なり合う。
【００５６】  照明装置１は、第１ハーフ体７に第２ハーフ体８を組み合わせてケース体２を組み立てる。照明装置１は、第２ハーフ体８側に形成した弾性体６が弾性変形してマグネシウム空気電池パック４を電池装填空間部１０内にしっかりと保持する。照明装置１は、基板押さえリブ１８ａ、１８ｂが重なり合った相対する正極端子２１と正極ランド３０ａ及び負極端子２２と負極ランド３１ａとを押さえ付けて重なり合い状態をしっかりと保持する。
【００５７】  照明装置１は、ケース体２に対してキャップ体３を、ＬＥＤ２９が突出したＬＥＤ嵌合口１４を覆うようにして装着する。照明装置１は、キャップ体３がケース体２との間でＬＥＤ収納空間部１９を構成するとともに、ＬＥＤ２９からの出射光を拡散する部材としても機能する。なお、照明装置１は、キャップ体３が第１ハーフ体７と第２ハーフ体８とに跨るようにしてケース体２に装着されることで、ケース体２を保持するとともに、上述した端子接合部位やマグネシウム空気電池パック４をより確実に保持する。
【００５８】  以上のように構成された照明装置１は、通常マグネシウム空気電池パック４が非励起状態であることから、ＬＥＤ２９は点灯されない。照明装置１は、水に浸けることにより導水口１４からケース体２の内部に水が侵入し、正極モジュール２３と負極体２４との間でイオン交換が行われる。照明装置１は、これによりマグネシウム空気電池パック４が励起してＬＥＤ２９に対して電圧供給が行われ、ＬＥＤ２９が発光する。照明装置１は、ＬＥＤ２９からの出射光をキャップ体３により拡散し外部へと放射する。
【００５９】  照明装置１は、マグネシウム空気電池パック４を弾性体６の弾性力により第１ハーフ体７の底面にしっかりと押し付けて内部抵抗を低減することで、効率的な照明が行われるようになる。照明装置１は、用済み後には、キャップ体３を取り外して第１ハーフ体７から第２ハーフ体８を開け、ケース体２からマグネシウム空気電池パック４を取り外す。照明装置１は、比較的廉価なマグネシウム空気電池パック４を交換することにより、その他の構成部材をそのまま再利用することが可能である。
【００６０】  照明装置１は、マグネシウム空気電池パック４をケース体２から取り出すことによりＬＥＤ２９を消灯することが可能である。また、照明装置１は、マグネシウム空気電池パック４が放電完了したり乾燥させて励起状態を解除させるような面倒な手間が不要である。したがって、照明装置１は、ＬＥＤユニット５等にスイッチ手段を設けることなく用済み後のＬＥＤ２９の消灯を可能とすることで、使い勝手の向上やコストの低減が図られるようになる。
【００６１】  第２の実施の形態として図７及び図８に示した照明装置４０は、基本的な構成を上述した照明装置１と同様とすることから、対応する部位には同一符号を付すことにより説明を省略する。照明装置４０は、ケース体２の構造を簡易化するとともにマグネシウム空気電池パック４との電気的接続がより確実に行われるＬＥＤユニット４１を備えることを特徴とする。
【００６２】  照明装置４０は、上述した照明装置１との比較において、ケース体２の第１ハーフ体７に隔壁１２を形成するとともに端子ガイド開口１６を形成した構成を特に必要としない。また、照明装置４０は、照明装置１との比較において、ケース体２の第２ハーフ体８側に基板押さえリブ１８を形成した構成を特に必要としない。照明装置４０は、ケース体２の構造を簡易化してさらにコスト低減を図ることも可能であるが、照明装置１の構成をそのまま採用することも可能であることは勿論である。
【００６３】  ＬＥＤユニット４１は、外形がＬＥＤ装填空間部１１とほぼ同形の半円形を呈する端子基板２８と、この端子基板２８の頂点部側に搭載したＬＥＤ２９とを有する構成において上述したＬＥＤユニット５と同様とする。端子基板２８には、主面上に正極パターン３０と負極パターン３１とが形成されるとともに図示しないが位置決め孔３２ａ、３２ｂも形成される。
【００６４】  端子基板２８には、相対する正極パターン３０のリード接続ランド３０ｂと負極パターン３１のリード接続ランド３１ｂとに、正極リード２９ａと負極リード２９ｂとをそれぞれ半田付けすることによりＬＥＤ２９が搭載される。照明装置４０においても、端子基板２８をＬＥＤ装填空間部１１内に搭載した状態において、ＬＥＤ２９がＬＥＤ嵌合口１４を介して外方へと突出される。
【００６５】  端子基板２８には、正極パターン３０の正極ランド３０ａと負極パターン３１の負極ランド負極ランド３１ａとにそれぞれ正極クリップ端子４２ａと負極クリップ端子４２ｂが半田付けされる。正極クリップ端子４２ａ及び負極クリップ端子４２ｂは、図７及び図８に示すように銅板等の端子材をコ字状に折曲した部材であり、開口側を電池装填空間部１０側に向けて端子基板２８上に半田付けされる。なお、正極クリップ端子４２ａ及び負極クリップ端子４２ｂは、電池装填空間部１０に装填されたマグネシウム空気電池パック４の正極端子２１及び負極端子２２とそれぞれ対向する。
【００６７】  照明装置４０においては、マグネシウム空気電池パック４を、出力端子側をやや傾けた状態にしてケース体２の電池装填空間部１０内に装填する。マグネシウム空気電池パック４は、正極端子２１を正極クリップ端子４２ａに嵌合するとともに、負極端子２２を負極クリップ端子４２ｂに嵌合する。照明装置４０においては、かかるマグネシウム空気電池パック４とＬＥＤユニット５との端子構造により、簡単な操作により確実な接続を行うことが可能となる。
【００６８】  なお、本考案は、図面を参照して説明した上述した実施の形態に限定されるものではなく、添付の実用新案登録の範囲及びその要旨を逸脱することなく、様々な変更、置換或いは同等に構成されることは当業者にとって明らかである。
【符号の説明】
【００６９】  １  照明装置、２  ケース体、３  キャップ体、４  マグネシウム空気電池パック、５  ＬＥＤユニット、６  弾性体、７  第１ハーフ体、８  第２ハーフ体、１０  電池装填部、１１  ＬＥＤユニット装填空間部、１２  隔壁、１３  導水口、１４  ＬＥＤ嵌合口、１５  ＬＥＤユニット支持部、１６  端子ガイド開口、１７  電池支持凸部、１８  基板押えリブ、１９  ＬＥＤ収納空間部、２０  マグネシウム空気電池、２１  正極端子、２２  負極端子、２３  正極モジュール、２４  負極体、２５  正極集電体、２６  正極触媒体、２７  セパレータ、２８  端子基板、２９  ＬＥＤ、３０  正極パターン、３１  負極パターン、４０  照明装置、４１  ＬＥＤユニット、４２  クリップ端子
【図１】
0003191297.tif 000003
【図２】
0003191297.tif 000004
【図３】
0003191297.tif 000005
【図４】
0003191297.tif 000006
【図５】
0003191297.tif 000007
【図６】
0003191297.tif 000008
【図７】
0003191297.tif 000009
【図８】
0003191297.tif 000010